(57)【要約】【課題】インスツルメントホース側に設けられている接続端子を、ワークテーブル（ユニット）側に設けられている複数個の接続端子のいずれにも接続可能とする。【解決手段】歯科ユニット側に固定された第１の接続端子２０と該第１の接続端子２０にワンタッチ形式にて着脱自在に接続されるインスツルメントホース側の第２の接続端子１２を有する。第１の接続端子と前記第２の接続端子のいずれか一方には縮退可能な複数本のピンを有し、他方にはピンのそれぞれに対向した位置にピン孔を有している。例えば、該ピン孔の１つを選択的に閉塞可能とし、第１の接続端子と第２の接続端子を連結した時に、選択的に閉塞されたピン孔に対応したピンが縮退し、該縮減したピンを検出して、前記ユニット本体に接続されたインスツルメントホースを識別し、該インスツルメントホースに接続されたハンドピースに適したエアー，電気，水等を供給する。【選択図】図２
2011025078.tif 000002
【特許請求の範囲】
【請求項１】
歯科ユニット側に固定された第１の接続端子にワンタッチ形式にて着脱可能に接続される第２の接続端子を有するインスツルメントホースと、該インスツルメントホースの前記第２の接続端子が接続される前記第１の接続端子を有するユニット本体とから成り、前記第１の接続端子または前記第２の接続端子のいずれか一方には縮退可能な複数本のピンを有し、他方には前記ピンのそれぞれに対向した位置にピン孔を有しかつ該ピン孔の１つを選択的に閉塞可能とし、前記第１の接続端子と第２の接続端子を連結した時に、選択的に閉塞されたピン孔に対応したピンが縮退し、該縮減したピンを検出して、前記ユニット本体に接続されたインスツルメントホースを識別し、該インスツルメントホースに接続されたハンドピースに適したエアー、電気、水等を供給するようにしたことを特徴とする歯科治療ユニット。
【請求項２】
歯科ユニット側に固定された第１の接続端子にワンタッチ形式にて着脱可能に接続される第２の接続端子を有するインスツルメントホースと、該インスツルメントホースの前記第２の接続端子が接続される前記第１の接続端子を有するユニット本体とから成り、前記第１の接続端子または前記第２の接続端子のいずれか一方には縮退可能な複数本のピンを有し、他方には前記ピンのそれぞれに対向した位置にピン孔を有し、かつ該ピン孔の１つを選択して残し、他を閉塞可能とし、前記第１の接続端子と第２の接続端子を連結した時に、前記選択して残された孔に対応した前記ピンを検出して、前記ユニット本体に接続されたインスツルメントホースを識別し、該インスツルメントホースに接続されたハンドピースに適したエアー、電気、水等を供給するようにしたことを特徴とする歯科治療ユニット。
【発明の詳細な説明】
【技術分野】
【０００１】
本発明は、歯科治療ユニット、より詳細には、歯科治療において、歯科ユニット本体にワンタッチ形式で着脱自在に装着され、歯科治療ハンドピースに水，エアー，電気等を供給するインスツルメントホースの端子構造に係り、特に、歯科ユニット本体側に複数の接続端子がある場合に、歯科ユニット本体側の所望の接続端子に所望のインスツルメントホースを接続可能としたものである。
【背景技術】
【０００２】
図４は、本発明が適用される歯科治療ユニットの一例を示す全体構成図で、図中、１０は歯科治療ユニットで、該ユニット１０は、治療椅子１，ワークテーブル２，スピットン３，無影灯４，インスツルメントホルダ５，フットスイッチ６，アシスタントインスツルメントホルダ７，ハンドピース（インスツルメント）８，インスツルメントホース９等から成り、インスツルメントホルダ５には、歯科治療において使用する種々のハンドピース、例えば、エアータービン、マイクロエンジン、超音波スケーラ、マルチシリンジ等のハンドピース８が収納されており、周知のように、歯科治療に当り、患者は椅子１に座り、頭を安頭台に固定して治療を受ける。治療中、術者は治療椅子１を上下動，倒起動，傾斜動等させて、患者を治療しやすい姿勢にして治療を行う。
【０００３】
図５は、図４に示したインスツルメントホース９をユニット本体にワンタッチにて着脱自在に接続するようにした例を説明するための拡大図で、図中、２は図４に示したワークテーブル２に相当するワークテーブルで、該ワークテーブル２の下端面には、インスツルメントホース９の端子１２を着脱自在に接続するための接続端子２０が設けられており、通常は、この接続端子２０にインスツルメントホース９の端子１２がワンタッチ形成にて接続され、歯科治療ユニット１０側の水回路、エアー回路、電気回路等がハンドピース８側の水回路、エアー回路、電気回路等と接続され、所望の歯科治療が行なわれるようになっている。なお、図には、接続端子２０をワークテーブル２の下端面に設けた例を示したが、この接続端子２０は、ワークテーブルの下端面に限定されるものではなく、ユニット側の所望の箇所に設けてもよい。
【０００４】
最近の歯科治療ユニットにおいては、図５に示したように、インスツルメントホース９は、一方の端部１１にはハンドピース（インスツルメント）８が着脱自在に又は一体的に装着され、他方の端部には、接続端子２０に着脱自在に接続される接続端子１２が設けられている。この接続端子１２には、例えば、ロック部材１３が設けられており、このロック部材１３の爪を接続端子２０に設けられた引掛け孔２１に着脱させることにより、該インスツルメントホース９を歯科治療ユニット１０に対してワンタッチ形式にて着脱でき、これによって、インスツルメントホース９を歯科治療ユニット１０から取り外してオートクレーブ（高圧蒸滅菌）できるようにしている。
【０００５】
図５には、ワークテーブル２に単一のインスツルメントホースが接続される例を示したが、実際には、図４に示したように、ワークテーブル２には多数種のインスツルメントホース９が接続され、それぞれのインスツルメントホース９の先端には、該インスツルメントホース９に適したハンドピース８が接続されるようになっており、ワークテーブル２側（ユニット側）に設けられた接続端子２０とインスツルメントホース９側に設けられた接続端子１２とは対の関係になっており、ワークテーブル２側の接続端子２０とインスツルメントホース９側の接続端子１２とは固定関係になっており、インスツルメントホース９側の接続端子１２をワークテーブル２側の任意所望の接続端子に接続することは不可能であり、使い勝手が悪かった。
【発明の開示】
【発明が解決しようとする課題】
【０００６】
本発明は、上述のごとき不具合を解決するためになされたもので、特に、インスツルメントホース側に設けられている接続端子を、ワークテーブル（ユニット側）側に設けられている複数個の接続端子のいずれにも接続可能とし、もって、使用しようとするインスツルメントホースをユニット側に設置されている接続端子のうちの好きな接続端子に接続可能とし、インスツルメントホースの接続箇所を現場で変更することができ、更には、新型のインスツルメントが開発された時等に、インスツルメントホースの差し替え、或いは、追加できるようにすることを目的としてなされたものである。
【課題を解決するための手段】
【０００７】
請求項１の発明は、歯科ユニット側に固定された第１の接続端子にワンタッチ形式にて着脱可能に接続される第２の接続端子を有するインスツルメントホースと、該インスツルメントホースの前記第２の接続端子が接続される前記第１の接続端子を有するユニット本体とから成り、前記第１の接続端子または前記第２の接続端子のいずれか一方には縮退可能な複数本のピンを有し、他方には前記ピンのそれぞれに対向した位置にピン孔を有し、かつ該ピン孔の１つを選択的に閉塞可能とし、前記第１の接続端子と第２の接続端子を連結した時に、選択的に閉塞されたピン孔に対応したピンが縮退し、該縮減したピンを検出して、前記ユニット本体に接続されたインスツルメントホースを識別し、該インスツルメントホースに接続されたハンドピースに適したエアー、電気、水等を供給するようにしたことを特徴としたものである。
【０００８】
請求項２の発明は、歯科ユニット側に固定された第１の接続端子にワンタッチ形式にて着脱可能に接続される第２の接続端子を有するインスツルメントホースと、該インスツルメントホースの前記第２の接続端子が接続される前記第１の接続端子を有するユニット本体とから成り、前記第１の接続端子または前記第２の接続端子のいずれか一方には縮退可能な複数本のピンを有し、他方には前記ピンのそれぞれに対向した位置にピン孔を有し、かつ該ピン孔の１つを選択して残し、他を閉塞可能とし、前記第１の接続端子と第２の接続端子を連結した時に、前記選択して残された孔に対応した前記ピンを検出して、前記ユニット本体に接続されたインスツルメントホースを識別し、該インスツルメントホースに接続されたハンドピースに適したエアー、電気、水等を供給するようにしたことを特徴としたものである。
【発明の効果】
【０００９】
本発明によると、ユニット側に設けられた複数個の第１の接続端子のうちの任意所望の接続端子にインスツルメントホース側の第２の接続端子を接続可能としたので、術者は、ユニット側の一番使い勝手のよい接続端子にインスツルメントホースを接続して使用することができ、効率的に施術することができる。或いは、使用頻度の高いインスツルメントの順に、使い勝手のよい場所に配設されているユニット側接続端子を選んで接続することにより、効率良く歯科治療を行うことができる。
【発明を実施するための最良の形態】
【００１０】
図１は、本発明の参考例を説明するための要部概略構成図で、ワークテーブル２（ユニット側）には、同一構成の複数個の接続端子２０（２０1〜２０4）が設けられており、これら複数の接続端子（第１の接続端子）のうちの任意所望の接続端子にインスツルメントホース９側の接続端子（第２の接続端子）１２がワンタッチにて着脱自在に接続されるようになっている。図１には、インスツルメントホースは、一本分しか記載されていないが、実際には、エアータービン用、マイクロエンジン用、超音波スケーラ用、…等治療目的に応じた多数種のインスツルメントホースが準備されており、これらが、ワークテーブル側（ユニット側）の任意所望の接続端子に接続できるようになっている。
【００１１】
上述のように、本発明によると、ユニット側に設けられた第１の接続端子とインスツルメントホース側に設けられた第２の接続端子とは、任意所望の接続端子同志を接続可能であるが、インスツルメントホース９の先端部には、それぞれ異なるハンドピースが接続されており、ハンドピース毎に、インスツルメントホースを通して供給されるエアー，電気，水等が異なり、例えば、エアータービンにおいては、動力源（タービン回転用）としての圧縮エアー流路、ハンドピース冷却用の水回路、照明光源用の電力線等が配設され、マイクロエンジンにおいては、動力源（モータ駆動用）としての電力線（照明光源の電源を兼ねる）、冷却用の水回路等が配設されており、接続されたハンドピース８に適したエアー、電気、水等を該インスツルメントホース９を通して供給する。
【００１２】
上述のように、本発明においては、ユニット側の各接続端子には、ハンドピースの異なる任意所望のインスツルメントホースを接続することが可能であるが、ユニット側では、接続されたハンドピースに適したエアー，電気，水等をインスツルメントホースに供給する必要がある。そのためには、ユニット側で、該ユニット側に接続されたインスツルメントホースを識別し、該識別されたインスツルメントホース（ハンドピース）に適したエアー，電気，水等を供給するようにする必要がある。
【００１３】
しかし、接続されたインスツルメントホースに該インスツルメントホースに適したエアー，電気，水等を供給するためには、ユニット側において、接続されたインスツルメントホースがどのようなハンドピースが接続されているインスツルメントホースであるかを知らなければ、接続されたインスツルメントホース（ハンドピース）に適したエアー，電気，水等を供給することができない。
【００１４】
本発明は、上述のごとき実情に鑑み、ユニット側において、接続されたインスツルメントホースが何用であるか（例えば、エアータービン用であるか、マイクロエンジン用であるか等）を検知し、検知したインスツルメントホースに適したエアー，電気，水等を供給するようにしたもので、図１の参考例において、３０（３０1〜３０n）はワークテーブル側（ユニット側）の接続端子（第１の接続端子）２０（２０1〜２０n）に設けられるバー挿入用の孔、４０（４０1〜４０n）はインスツルメントホース９側の接続端子（第２の接続端子）１２に設けられた孔で、これら接続端子同志を接続した時に、ユニット側の孔３０（３０1〜３０n）とインスツルメントホース側の孔４０（４０1〜４０n）の一対とが対向するように配設されており、接続に当り、これらの対向する一対の孔（例えば、３０1と４０1）を選択し、これら一対の孔にバー５０を挿通して接続する。
【００１５】
ワークテーブル側の接続端子２０1〜２０nの各孔３０1〜３０nには、バー５０が挿通されたことを検知するセンサが設けられており、例えば、孔３０1，４０1にバー５０が挿通された時は、ハンドピースとしてエアータービンが接続されたことを検知し、孔３０2，４０2にバーが挿通された時はハンドピースとしてマイクロエンジンが接続されたことを検知する等、挿入されたピン５０の位置によって、接続されたハンドピースが、どのようなハンドピースであるかを検知し、ワークテーブル側ユニットでは該接続されたインスツルメントに適したエアー，電気，水等を供給する。
【００１６】
図２は、本発明の実施例を説明するための要部（ワークテーブル側の接続端子２０の端子部及びインスツルメントホース側の接続端子１２の端子部）概略構成図で、本実施例においては、ワークテーブル側の各接続端子２０（２０1〜２０n）の端面には、複数の縮退可能な（常時は、スプリング等によって図示のように突出しており、押されると接続端子２０内に引込む）ピン３０1〜３０nが突出して設けられており、インスツルメントホース側の接続端子１２の端面には前記縮退ピン３０1〜３０nに対向して該ピン３０1〜３０nを受け入れるための孔４０1〜４０nが設けられている。更に、インスツルメントホース側の接続端子１２には、これらの孔４０1〜４０nのうちの１つだけを開き、他を閉塞するためのダイヤル６０を有し、該ダイヤル６０を回すことにより、所望の１つの孔を選択して開き、他を閉塞すると、端子２０と１２を接続した時に、開かれた孔に対抗したピンはそのまま孔内に挿入されるが、閉塞された孔に対向したピンは、その挿入が妨げられ、孔内に挿入されることなく、縮退した状態で接続される。従って、孔内に挿通された１本のピンを検出することによって、当該テーブル側の接続端子に接続されたインスツルメントホース（ハンドピースの種類）を識別することができ、該ハンドピースに適したエアー，電気，水等を供給することができる。
【００１７】
なお、図２に関する説明において、インスツルメントホース側の接続端子１２において、１つの孔が開口され、残りの他の孔が閉塞される例について説明したが、逆に、１つの孔を閉塞し、他の孔を開口するようにし、閉塞された孔を検出するようにしてもよいし、ワークテーブル側の接続端子の構造とインスツルメントホース側の接続端子の構造を入れ換えるようにしてもよいことは容易に理解できよう。
【００１８】
図３は、本発明の他の参考例を説明するための要部概略構成図で、本実施例においては、ワークテーブル側の各接続端子２０（２０1〜２０n）は、端面外周部に離散的に複数の凹部３２1〜３２nを有し、インスツルメントホース側の接続端子１２の端面外周部には前記凹部２０1〜２０nの１つに選択的に係合する１つの凸部４２を有し、該凸部４２はインスツルメント側接続端子１２の外周部に設けられた回動リング７０の上部外周部に設けられ、該回動リング７０を回動することにより、前記ワークテーブル側凹部３２1〜３２nの１つに選択的に係合する。ワークテーブル側接続端子２０1〜２０nの各凹部３２1〜３２nには、前記インスツルメント側接続端子１２の凸部４２が係合されたことを検知するセンサを有し、該センサにより、どの凹部が選択されたかを識別して、接続されたインスツルメント（ハンドピース）を識別し、ワークテーブル側において、識別されたハンドピースに対応したエアー，電気，水を供給する準備をし、これにより、ワークテーブル側接続端子に接続されたハンドピースの種類に対応したエアー，電気，水の供給を可能とする。
【図面の簡単な説明】
【００１９】
【図１】本発明に関連する歯科治療ユニットの参考例を説明するための要部概略構成図である。
【図２】本発明による歯科治療ユニットの一実施例を説明するための要部概略構成図である。
【図３】本発明に関連する歯科治療ユニットの他の参考例を説明するための要部概略構成図である。
【図４】本発明が適用される歯科治療ユニットの一例を示す全体構成図である。
【図５】図４に示したインスツルメントホースをユニット本体にワンタッチにて着脱自在に接続するようにした例を説明するための拡大図である。
【符号の説明】
【００２０】
１２…インスツルメント側接続端子、２０（２０1〜２０n）…ワークテーブル側接続端子、３０1〜３０n…ワークテーブル側接続端子に設けられたピン挿入孔、３１1〜３１n…ワークテーブル側接続端子に設けられた縮退ピン、３２1〜３２n…ワークテーブル側端子に設けられた凹部、４０1〜４０n…インスツルメントホース側接続端子に設けられたピン挿入孔、４１1〜４１n…インスツルメントホース側端子に設けられたピン挿入孔、４２…インスツルメントホース側端子に設けられた凸部、５０…ピン、６０…ピン挿入孔選択用ダイヤル、７０…インスツルメントホース側接続端子に設けられた凸部を回動するためのダイヤル。
【図１】
2011025078.tif 000003
【図２】
2011025078.tif 000004
【図３】
2011025078.tif 000005
【図４】
2011025078.tif 000006
【図５】
2011025078.tif 000007